(57)【特許請求の範囲】
【請求項１】
物干し竿と、前記物干し竿の左右両端を支持して吊り下げる紐状部材と、前記物干し竿の両端の前記紐状部材を同時に同量ずつ第１の位置及びこれより低い第２の位置の間で上昇させあるいは降下させる昇降装置と、前記物干し竿の左右両端の前記第１の位置に配置されて前記物干し竿を前後方向から挟む二対のガイド部材から成る少なくとも一組のガイド部材とを備え、前記ガイド部材の間に前記物干し竿を引き込み前記ガイド部材によって前記物干し竿の前後方向の動きを規制して揺れることがないようにし、かつ前記一組のガイド部材の各対の前記ガイド部材の間には引き込まれる前記物干し竿の上面と接触する制動駒が備えられ、前記制動駒に前記物干し竿が当接したときに前記物干し竿が左右方向に揺れるのを阻止することを特徴とする物干し装置。
【請求項２】
前記制動駒は一対の前記ガイド部材の間に上下方向にスライド可能に配置されると共に前後左右方向には移動不能に支持され、前記物干し竿の上に前記制動駒を載せた状態で前記ガイド部材の中を昇降可能とし、前記ガイド部材が許容する移動範囲の任意の位置で前記物干し竿と前記制動駒とが接触した状態で止まることを特徴とする請求項１記載の物干し装置。
【請求項３】
前記ガイド部材は前記紐状部材を中心に前記物干し竿を挟むように前後対称に配置され、前記紐状部材と前記物干し竿が前記ガイド部材の間を通過するようにしたものである請求項１または２に記載の物干し装置。
【請求項４】
前記昇降装置は、前記紐状部材を最も送り出した後には、同じ回転方向でも再度紐状部材を巻き戻す構造であることを特徴とする請求項１から３のいずれか１つに記載の物干し装置。  
【請求項５】
前記物干し竿に安全荷重を超える過度な荷重がかかった場合に前記紐状部材が意図的に切断される箇所を有するものである請求項１から４のいずれか１つに記載の物干し装置。
【発明の詳細な説明】
【技術分野】
【０００１】
本発明は洗濯物等を干す為の物干し装置に関する。更に詳述すると、本発明は、洗濯物等を掛けるときや洗濯物を取り込むときなどには物干し竿を好みの高さまで下げ、洗濯物等を干すときあるいは物干し竿を使用しないときには物干し竿を高い位置に吊り上げて保持する昇降可能な物干し装置に関する。
【背景技術】
【０００２】
一般に、物干し竿を洗濯物等を干すのに適した高所に吊す用具としては、住宅のベランダの軒下やテラス屋根の下に吊り下げられた鉤や竿受けあるいは庭やベランダなどに置く物干し台が使用されているが、これらはいずれも洗濯物等を掛けた状態の物干し竿を高所まで持ち上げる必要があるという不便がある。このことは、特に、背の低い人や車いすを使用している人などにとっては極めて困難な不便を伴う作業となる。また、災害時の避難通路としても使用することになるベランダでは、低い位置に吊り下げられる鉤や常置される物干し台は通路の障害物となる。
【０００３】
そこで、洗濯物等を掛けるときや洗濯物を取り込むときなどには好みの高さまで吊り下げ、洗濯物等を干すときあるいは物干し竿を使用しないときには、高い位置に吊り上げる物干し装置が望まれている。かかる要望に応えるものとして、物干し竿をワイヤのような紐状部材で吊り下げ、紐状部材を巻き上げることによって物干し竿を高い位置に吊り下げるようにした物干し装置が従来提案されている（特許文献１〜４）。
【先行技術文献】
【特許文献】
【０００４】
【特許文献１】特開２００１−２５９２９７号公報
【特許文献２】実用新案登録第３０５４２０９号公報
【特許文献３】実用新案登録第３０６６３７５号公報
【特許文献４】特開平８−１１２４９４号公報
【発明の概要】
【発明が解決しようとする課題】
【０００５】
しかしながら、物干し竿をベランダの軒下やテラス屋根から紐状部材で吊り下げているため、屋外で使用する場合には、風が吹くと、振り子のように洗濯物を掛けた物干し竿が揺れてしまうことがある。したがって、実際には無風の時以外は安心して使えないという問題がある。また、洗濯物等を干していなくとも、高い位置に吊り上げた物干し竿は不安定で風に揺れて軒下などに衝突して騒音等を発生させる心配もある。  
【０００６】
本発明は、物干し竿を高い位置に吊り上げた状態では物干し竿が固定されて風などの外力の影響を受けにくいものとする物干し装置を提供することを目的とする。
【課題を解決するための手段】
【０００７】
かかる目的を達成するために請求項１記載の物干し装置は、物干し竿と、物干し竿の左右両端を支持して吊り下げる紐状部材と、物干し竿の両端の紐状部材を同時に同量ずつ第１の位置及びこれより低い第２の位置の間で上昇させあるいは降下させる昇降装置と、物干し竿の左右両端の第１の位置に配置されて物干し竿を前後方向から挟む二対のガイド部材から成る少なくとも一組のガイド部材とを備え、ガイド部材の間に物干し竿を引き込みガイド部材によって物干し竿の前後方向の動きを規制して揺れることがないようにし、かつ一組のガイド部材の各対のガイド部材の間には引き込まれる物干し竿の上面と接触する制動駒が備えられ、制動駒に物干し竿が当接したときに物干し竿が左右方向に揺れるのを阻止するようにしている。
【０００９】
また、より好ましくは、制動駒は一対のガイド部材の間に上下方向にスライド可能に配置されると共に前後左右方向には移動不能に支持され、物干し竿の上に制動駒を載せた状態でガイド部材の中を昇降可能とし、ガイド部材が許容する（制動駒が移動できる範囲）移動範囲の任意の位置で物干し竿と制動駒とが接触した状態で止まるようにすることである。
【００１０】
また、本発明の物干し装置において、ガイド部材は紐状部材を中心に物干し竿を挟むように前後対称に配置され、紐状部材と物干し竿がガイド部材の間を通過するようにしたものであることが好ましい。
【００１１】
また、本発明の物干し装置において、昇降装置は、紐状部材を最も送り出した後には、同じ回転方向でも再度紐状部材を巻き戻す構造であることが好ましい。
【００１２】
さらに、本発明の物干し装置において、物干し竿に安全荷重を超える過度な荷重がかかった場合に紐状部材が意図的に切断される箇所を有するものであることが好ましい。
【発明の効果】
【００１３】
請求項１記載の物干し装置によれば、上昇した際の物干し竿は、ガイド部材の間に侵入することで、ガイド部材によって前後方向の動きが規制されるので、前後方向に風に揺れることはない。したがって、洗濯物等を干しているときや選択竿を収納しているときに風が吹いても、物干し竿が前後に揺れることが少ない。
【００１４】
また、請求項１記載の物干し装置によれば、物干し竿を上昇させた際に、対向配置された一対のガイド部材の間に侵入すると共に制動駒と接触するので、ガイド部材によって前後方向の動きが規制される同時に左右方向（物干し竿の長手方向）への移動・揺れも制動駒を介してガイド部材に拘束されて防止される。また、制動駒は左右一対のガイド部材の幅を固定するので、ガイド部材自体に剛性がなくとも良い。
【００１５】
請求項２記載の物干し装置によれば、上昇した際の物干し竿は、ガイド部材の間に侵入すると同時にガイド部材によって前後方向に動きが規制されるので、前後方向に風に揺れることはない。しかも、制動駒は物干し竿の動きに追従して昇降するので、物干し竿の巻き上げを止めた位置即ち任意の高さ位置で物干し竿の前後左右方向の揺れを止めることが可能となる。また、ガイド部材の上ストロークエンドまで巻き上げなくとも、ガイド部材の任意の位置で停止させてその位置に止めることができるので、紐状部材に過張力がかかることが少なく、紐状部材の切断の恐れが少ない。
【００１６】
請求項３記載の物干し装置によれば、紐状部材を引き上げることで物干し竿をガイド部材の間にスムーズに誘導が可能である。
【００１７】
請求項４記載の物干し装置によれば、紐状部材を最も送り出した状態ではどちら方向に回転させても紐状部材を巻き戻す構造とされているので、即ち同じ方向に昇降装置を回し続けても物干し竿が最下端に達した後は再び上昇に転じるので、紐状部材を最も引き出した後の誤操作によっても装置の破損の恐れはない。
【００１８】
請求項５記載の物干し装置によれば、物干し竿に安全荷重を超える過度な荷重がかかった場合には、紐状部材が切断されることにより、物干し装置の昇降装置側において破損等が起きないようにできるので、装置本体の落下やテラス屋根やベランダ軒下などの建物躯体側の損傷も未然に防ぐことができる。
【図面の簡単な説明】
【００１９】
【図１】本発明にかかる物干し装置の一実施形態を示す正面図である。
【図２】同物干し装置のテラス屋根に懸架した状態の側面図で、（Ａ）は物干し竿セット位置の最上端まで物干し竿を巻き上げた状態、（Ｂ）は物干し竿セット位置の下端まで物干し竿を巻き上げた状態、（Ｃ）は洗濯物をかけるために任意の高さまで物干し竿を降下させた状態を示す。
【図３】一対のガイド部材と制動駒との一実施形態を示す図で、（Ａ）は正面図、（Ｂ）は側面図である。
【図４】制動駒の一実施形態を示す斜視図である。
【図５】物干し竿に対する紐状部材の取り付け方の一例を示す図で、（Ａ）は正面図、（Ｂ）は側面図である。
【図６】昇降装置の巻上げドラムに対する紐状部材の取り付け方を示す説明図で、（Ａ）は時計回転時、（Ｂ）は反時計回転時を示す。
【図７】紐状部材のかけ方を説明する正面図である。
【図８】紐状部材のかけ方を説明する平面図である。
【図９】紐状部材のかけ方を説明する側面図である。
【図１０】物干し竿に対する紐状部材の取り付け方の他の実施形態を示す図で、（Ａ）は正面断面図、（Ｂ）は側面図である。
【図１１】セーフティ連結具と紐状部材との関係の一例を示す斜視図である。
【図１２】セーフティ連結具の縦断面図である。
【発明を実施するための形態】
【００２０】
以下、本発明の構成を図面に示す実施形態に基づいて詳細に説明する。尚、本明細書においては、特段の断りがない限り、前後方向とは物干し竿と直交する水平方向（図中、符号Ｙで示す方向）、左右方向とは物干し竿の長手方向（図中、符号Ｘで示す方向）、上下方向とは物干し竿と直交する鉛直方向（図中、符号Ｚで示す方向）を意味する。また、本明細書においては、物干し竿が上昇する位置を第１の位置、および下降する位置を第２の位置とする。ここで、第１の位置という用語は、洗濯物等を干すあるいは物干し竿を収納するのに物干し竿を上昇させる位置を意味し、１点の高さ位置を意味する場合もあれば、一定の幅を有する高さ位置を意味する場合もあるものとして用いる。特に、本実施形態の場合には、洗濯物等を干したりあるいは物干し竿を収納したりする物干し竿の吊り下げ高さとして設定された一定の幅Ａを有する第１の位置を「物干し竿セット位置」と呼ぶ。また、第２の位置という用語は、第１の位置より低い位置を意味するものであり、主に洗濯物等を掛けるときや洗濯物を取り込むときなどに物干し竿を下げる好みの高さを意味するものとして用いる。                 
【００２１】
図１及び図２に、本発明の物干し竿装置の一実施形態を示す。この物干し竿装置は、物干し竿１と、この物干し竿１の左右両端を支持して吊り下げる紐状部材２と、物干し竿１の両端の紐状部材２を同時に同量ずつ上昇させあるいは降下させる昇降装置３と、昇降装置３あるいは直に建物躯体等から垂下して物干し竿セット位置にある物干し竿１を前後方向Ｙから挟むように配置された少なくとも１組のガイド部材４とを備え、洗濯物等を掛けるときや洗濯物を取り込むときなどには物干し竿１を好みの高さまで下げ、洗濯物等を干すときあるいは物干し竿１を収納するときには物干し竿セット位置に上昇させる物干し竿１をガイド部材４の間に引き込んで物干し竿１の前後方向の移動をガイド部材４によって規制して揺れることがないようにしている。
【００２２】
ここで、ガイド部材４は、物干し竿１を挟むようにその両側に配置され、物干し竿１の前後方向への移動を規制し得るものであれば足り、物干し竿１を挟んで対称に配置されるものに限られなければならない理由はない。例えば、本実施形態の場合、図１及び図７に示すように、物干し竿１の両端をそれぞれ前後に配置した２対のガイド部材４によって物干し竿１が前後方向に揺れないように支持する１組のガイド部材を構成するようにしているが、物干し竿１の長手方向（左右方向）に少なくとも３本のガイド部材４を交互にずらして三角形の頂点を形成するように配置しても、物干し竿が前後方向に揺れるのを阻止することはできる。
【００２３】
本実施形態のガイド部材４は、ステンレス鋼棒をＵ形に曲げて成るものが採用されており、物干し竿１を挟むように前後に２本並べて組み合わせて用いられている。物干し竿１を挟んで前後に配置することにより、物干し竿１が前後方向に移動しないように設けられている。本実施形態の場合、一対のＵ形棒４は、鉛直に垂下する紐状部材２を中心に配置して対称に配置され、物干し竿１を挟むように並べて配置されている。この場合、紐状部材２の巻き上げによって物干し竿１を上昇させる際に、必然的に一対のガイド部材４の間に物干し竿１が容易に誘導される。
【００２４】
ガイド部材４は、必ずしも第１の紐状部材２ａ及び第２の紐状部材２ｂがプーリ８ａ，８ｂからそれぞれ垂下する位置に配置しなくとも良い。また、ガイド部材４は、物干し竿１を前後方向から挟んで物干し竿１が前後方向に揺れるのを阻止し得るものであれば良く、必ずしも第１の紐状部材２ａ及び第２の紐状部材２ｂに沿って前後方向に重なるように配置されなくとも良い。つまり、垂下する第１の紐状部材２ａ及び第２の紐状部材２ｂから離れた位置で物干し竿１を前後方向から挟むようにしても良いし、あるいは前後のガイド部材４が左右方向にずれて配置されるようにしても良い。
【００２５】
また、ガイド部材４の設置位置は、好ましくは洗濯物等を干すのに適した高さであり、また物干し竿１を収納する位置である。ガイド部材４がケーシング１０に取り付けられ、テラス屋根やベランダ軒下などに据え付けられる場合には、例えば、床面から例えば２２００ｍｍ〜２５００ｍｍ程度の範囲に占位するように設けられるが、これに特に限られるものではなく、必要に応じて適宜高さに備え付けられる。ここで、物干し竿セット位置は、物干し竿１を挟んで物干し竿１の前後に配置された１組のガイド部材４の間に物干し竿の最大幅部が侵入した位置から上昇端までの範囲であり、あるいはその間で定められる一点であり、その間で任意に設定し得るものである。
【００２６】
また、前後一対のガイド部材４の間には、図３に示すように、物干し竿１と接触して物干し竿１の動きを阻止する制動駒５が前後のガイド部材４に跨がるように配置されている。この制動駒５は、例えば図４に示すように、ポリアセタール（ポリオキシメチレン：ＰＯＭ）などの合成樹脂によって円柱状に成形され、周面の一部に接線方向のスリット形のくぼみ（すり割りと呼ぶ）２１が４箇所形成され、Ｕ形棒から成るガイド部材４の内側の周面が各すり割り２１に嵌まり込むことで、前後左右方向には動かないが上下方向には摺動可能に支持されている。制動駒５の中央には、紐状部材２を貫通させる紐通し孔２２が設けられている。紐通し孔２２は、前述のすり割り２１の平坦な底面と平行な方向、即ちガイド部材４の中に制動駒５を嵌め込んだときに、鉛直方向に紐通し孔２２が配置されるように開けられている。
【００２７】
物干し竿１を挟んでその両側に対称にガイド部材４を配置する場合には、両側のガイド部材４の間に跨がるように配置される制動駒５によって、前後一対のガイド部材４の間が固定されるので、単一のガイド部材４に十分な剛性が備わっていなくとも、物干し竿１の揺れを抑えるのに十分な強度が全体として得られる。この場合、単体としてのガイド部材４の機械的強度を低くすることができるので、部品のコストダウンが可能となる。
【００２８】
また、制動駒５はガイド部材４に対して固定されても良いが、好ましくは物干し竿１の昇降に伴ってガイド部材４内を移動可能とする摺動式とすることである。この場合には、制動駒５の可動範囲、即ちガイド部材４の範囲内で物干し竿１を吊り上げる高さ・位置を任意に選定でき、かつその位置で前後・左右方向の動きを留めることができる。即ち、制動駒５は、上昇する物干し竿１に押し上げられて一緒に持ち上げられるので、ガイド部材４の途中段階でも物干し竿１の上昇が停止されると、その位置で制動駒５の働きで物干し竿１が前後・左右に動かない。つまり、風に揺れない。また、制動駒５を摺動式とする場合には、ガイド部材４の内部空間４ａの中を摺動する制動駒５がガイド部材４から抜け落ちないようにするため、ガイド部材４には制動駒５の降下端を定める底辺を設けることが好ましい。例えば図３に示すようなＵ形棒であることが好ましい。この場合、制動駒５はＵ形棒の最下端に達しても落下しない。また、図示していないが、板状のガイド部材４の場合には、制動駒５を上下方向にガイドするための閉じた長孔が鉛直方向に形成されることで実現できる。要は樹脂製制動駒５（スライドブロック）が前後・左右にがたつかずに上下方向に摺動できるガイド構造であれば足りる。
【００２９】
ここで、ガイド部材４は、図示したようなＵ形の棒に限られない。図示していないが、単なる一本の真っ直ぐな棒を平行に２本並べたものや、短冊状の板材のようなものでも実施可能である。また、板材を利用したガイド部材の場合には、例えば上下方向に長い長孔をあけることによって制動駒５を摺動可能に支持させることができる。
【００３０】
また、制動駒５の物干し竿１と接触する底面は物干し竿１の表面形状にほぼ沿った曲面に成形されて位置決めを容易にすると共に接触面を広くして物干し竿が動き難くするように設けられている。制動駒５の下端には物干し竿１を受け入れる半円形の凹部２０が形成され、その中心に紐状部材２を通過させる紐通し孔２２が開けられている。しかしながら、制動駒５の底面は特に曲面・半円形の凹部２０である必要はなく、物干し竿１の曲面に対して接線となる直線（図３（Ｂ）参照）であっても接触による摩擦で物干し竿１の動きを阻止することはできる。
【００３１】
昇降装置３は、紐状部材２を巻き上げる巻上げドラム６と、巻上げドラム６を回転させる手動ないし電動の駆動源例えば手巻きウインチ７と、紐状部材２の牽引方向を変えるプーリ８ａ，８ｂ，１４と、それらを収納しテラス屋根あるいはベランダ軒下などの建物躯体９に据え付けるためのケーシング１０とで構成されている。本実施形態の場合、ガイド部材４はケーシング１０に取り付けられ、ケーシング１０から垂下するように組み込まれている。この場合、昇降装置３によって巻き上げされる紐状部材２とガイド部材４との位置関係が予め設定されかつ固定されるので、テラス屋根あるいはベランダ軒下などの建物躯体９にケーシング１０を据え付けるだけで、テラス内あるいはベランダの下の好ましい場所に物干し装置を容易に設置することができる。勿論、昇降装置３とガイド部材４とは分離されて別々にテラスあるいはベランダなどの建物躯体９に据え付けるようにしても良い。
【００３２】
ここで、紐状部材２は、本実施形態においては物干し竿の一端を吊り下げる第１の紐状部材２ａと他端を吊り下げる第２の紐状部材２ｂとを第３の紐状部材２ｃに縛り付け、第３の紐状部材２ｃだけを巻上げドラム６で巻き取るようにしている。他方、第１の紐状部材２ａはケーシング１０の左寄りに配置された第１のプーリ８ａを経由して下向きに変向させられてから物干し竿１の一端（図１及び図１０において紙面に向かって左側）に係留される。また、第２の紐状部材２ｂは第１のプーリ８ａとケーシング１０の右寄りに配置された第２のプーリ８ｂとを経由することによって物干し竿１の他端（図１及び図１０において紙面に向かって右側）で下向きに変向させられてから物干し竿１の他端に係留されている。これにより、物干し竿１の左右の昇降の同期を図ると共に、巻上げドラム６に巻き取られる紐状部材の量を半分にしてその分だけ巻上げドラム６を含む駆動ユニットを小型化できるようにしている。尚、紐状部材２としては、本実施形態の場合、ロープを用いているがこれに特に限られるものではなく、ワイヤやチェーンなどでも良い。また、本実施形態では昇降装置の駆動源７として手巻きウインチを用いているが、電動ウインチなどでも可能であることは言うまでもない。
【００３３】
第３の紐状部材２ｃは第１及び第２の紐状部材２ａ，２ｂと別個の独立した存在として設ける必要はなく、第１の紐状部材２ａあるいは第２の紐状部材２ｂのいずれか一方を直接巻上ドラム６に取り付けると共に、その途中に他方の紐状部材を結束するようにしても良い。例えば、本実施形態の場合には、図７及び図８に示すように、第２の紐状部材２ｂを直接に巻上ドラム６に巻き付ける一方、この第２の紐状部材２ｂの途中に第１の紐状部材２ａの後端を結束ワイヤ１１で結束して固定し、結束位置よりも巻上ドラム６側寄りの第２の紐状部材２ｂによって第３の紐状部材２ｃを兼ねるようにしている。
【００３４】
また、巻上ドラム６には、巻き上げ位置が順次径の大きい方（隣）に移るように作用するテーパードラムが採用されており、第３の紐状部材（第２の紐状部材２ｂの一部）２ｃを重なることなく巻き上げるようにしている。これにより、第３の紐状部材２ｃが巻上ドラム６に均して巻き上げられるので狭いスペースでも必要な量の巻き上げが可能となる。また、本実施形態においては、昇降装置３の巻き上げ機構は、図６に示すように、巻上ドラム６の中に引き込み窓１２から紐状部材２の端部（第３の紐状部材２ｃ）を引き込んでビス軸１３で固定することで、紐状部材２を全て引き出した状態ではどちらの方向に回転させても紐状部材２を巻上ドラム６に巻き取り得る構造、即ちどちら方向にも巻き取れる構造とされている。したがって、紐状部材２が巻上ドラム６から解かれて全て引き出された後も巻上ドラム６を回転させ続けても、紐状部材２が巻き上げられることとなるので、再び物干し竿１が上昇に転ずることで、物干し竿１が下端位置に達したことを知ることができると共に破損を防止することができる。
【００３５】
物干し竿１の両端を支持する紐状部材２、即ち本実施形態においては第１の紐状部材２ａと第２の紐状部材２ｂは、特定の取り付け方法あるいは構造によって取り付けられるものではなく、様々な締結方法・構造で取り付け可能である。例えば紐状部材の先端に物干し竿に掛かる輪を設けて吊る単純な構造にしても良いが、物干し竿の内部に配置した係止部材によってそれぞれの先端が個別に固定されることで物干し竿に係留させるようにしても良いし、第１の紐状部材と第２の紐状部材とが連結されてループ状となって物干し竿の中を通させて物干し竿１を支持させるようにしても良い。
【００３６】
図５に、第１の紐状部材２ａと第２の紐状部材２ｂの各々の先端を係止部材を介して物干し竿１に係留させる例を示す。この係止部材は、例えば首下部分に紐状部材２が貫通する径方向の紐通し孔２５が設けられボルト２３と、該ボルト２３に螺合されるナット２４及び一組の座金２６，２６とで構成され、ボルト２３の紐通し孔２５を貫通する紐状部材２を座金２６，２６で挟み付けるようにしてボルト２３の頭部とナット２４とで締め付けることにより固定するものである。紐状部材２と係止部材とは、例えば、物干し竿１の紐通し孔２７から中に挿入された紐状部材２の先端を端部開口から物干し竿１の外に一旦取り出してから、ボルト２３の首下の２枚の座金２６の間の紐通し孔２５に通してナット２４を締め付けることで組み立てられる。そして、紐状部材２の先端に固定されたボルト２３及びナット２４の組み合わせから成る係止部材が物干し竿１の紐通し孔２７の周囲に引っ掛かって、紐状部材２が物干し竿１に係留されるようにしたものである。勿論、紐状部材２ａ，２ｂの先端に係留部を形成する係止部材としては前述の方法に限られるものではなく、様々な形態を採ることができることは言うまでもない。また、第１の紐状部材２ａと第２の紐状部材２ｂとを物干し竿１の中で直に結んで連結してループ状とすることにより、物干し竿１を支持させるようにしても良い。
【００３７】
また、紐状部材２は、物干し竿１に安全荷重を超える過度な荷重がかかった場合に意図的に切断される箇所を有することが好ましい。例えば、図１１に示すように、物干し竿１の中で第１紐状部材２ａと第２紐状部材２ｂとをセーフティ連結具１６を介して連結するようにしても良い。セーフティ連結具１６は、図１１及び図１２に示すように、第１紐状部材２ａを取り付ける第１係留部１６ａと第２紐状部材２ｂを取り付ける第２係留部１６ｂとこれらを連結し安全荷重を超える過剰荷重が作用したときに破断する破断部１６ｃとを備え、破断部１６ｃが破断したときに第１係留部１６ａと第２係留部１６ｂとが分離されてそれぞれ物干し竿１の両端の端末キャップ１５の係止爪部１５ａの紐状部材受け１８の周辺に引っ掛かることによって、紐状部材２ａ，２ｂの末端と物干し竿１とが切り離されることなく係合状態が維持されるように設けられている。したがって、子供などがぶら下がるなどの過負荷が作用したときには、セーフティ連結具１６が破断して、第１紐状部材２ａと第２紐状部材２ｂとが分離されて第１係留部と第２係留部とが物干し竿１に引っ掛かるまで物干し竿１の吊り下げ位置を下げることによって、過負荷が装置本体たる昇降装置３に作用しつづけてその破損を招いたり落下することを阻止することができる。
【００３８】
ここで、第１係留部１６ａと第２係留部１６ｂとには、第１紐状部材２ａ及び第２紐状部材２ｂを通すためのＬ形の紐通し孔１７がそれぞれ設けられ、各Ｌ形紐通し孔１７に第１紐状部材２ａあるいは第２紐状部材２ｂをそれぞれ通してから先端を結んで玉を作り、抜け止めとすることにより、紐状部材２ａ，２ｂが固定されている。本実施形態では、破断部１６ｃは、第１係留部１６ａと第２係留部１６ｂとの境界の細く括れた軸部で構成され、安全荷重を超える過剰な荷重例えばおおよそ４５ｋｇ前後で破断するように、軸部から成る破断部１６ｃが直径３．７ｍｍ、樹脂引張強度４１Ｎ／ｍｍ２程度に形成されている。
【００３９】
因みに、上述の実施形態では物干し竿１の中で第１紐状部材２ａと第２紐状部材２ｂとをセーフティ連結具１６を用いて繋いでいるが、これに特に限定されるものではなく、物干し竿１の外においてセーフティ連結具１６を用いて紐状部材２を繋ぐことにより、物干し竿１に安全荷重を超える過度な荷重がかかった場合に紐状部材２が意図的に切断される箇所を設けるようにしても良い。
【００４０】
このセーフティ連結具１６は、本実施形態の場合、物干し竿１の一方の端部に寄せて配置されており、破断したときに第１紐状部材２ａが取り付けられた第１係留部１６ａと、第２紐状部材２ｂが取り付けられた第２係留部１６ｂとがそれぞれ物干し竿１の端末キャップ１５の紐通し孔１９に引っ掛かって止まるまでの時間に時間差を与えるように設定されている。換言すれば、物干し竿１の左右で第１の係留部１６ａと第２の係留部１６ｂがそれぞれ引っ掛かるまでの各々の紐状部材２ａ，２ｂの長さを異ならせることにより、物干し竿１の左右で落下距離が異なるように設けられている。したがって、物干し竿１のセーフティ連結具１６が配置された側の端部は殆ど落下することがなく、反対側の端部がほぼ物干し竿１の長さに相当する範囲内で落下する。これにより、物し竿１は大きく傾いたり、あるいは床に一端が接することにより、物干し竿にかかった過荷重がそのまま昇降装置３のケーシング１０やテラス屋根やベランダ軒下の建物躯体９にかかることがないように配慮されている。
【００４１】
勿論、第１紐状部材２ａと第２紐状部材２ｂとをセーフティ連結具１６で連結する位置は、上述の如く、物干し竿１の一方の端部の近くに限られるものではない。場合によっては、物干し竿１のほぼ中央位置で連結するようにしても良い。この場合、物干し竿１の落下量が左右で等しくなるので、物干し竿に傾きが生ずることがない。したがって、干されている洗濯物等が一端に偏ったり、ずり落ちたりすることがない。しかし、この場合においても、物干し竿１が一瞬自然落下するような状態になるので、ぶら下がっていた子供等は手を離すことになるであろうことから、あるいは足が床に着いてしまうことから、装置本体の落下や破壊に繋がるようなことにはならないと思われる。
【００４２】
ここで、物干し竿１の両端開口を塞ぐ端末キャップ１５には、物干し竿１の内部に挿入される係止爪部１５ａ，１５ｂを有し、該係止爪部１５ａ，１５ｂに物干し竿１の径方向に貫通するねじを通す雌ねじ（あるいはタッピングねじ用の下孔）１９が設けられている。そして、物干し竿１の外からタッピンねじあるいはビス２８をねじ込んで、物干し竿１内に係止爪部１５ａ，１５ｂが挿入された端末キャップ１５を固定するように設けられている。また、端末キャップの紐状部材が通される側の係止爪部１５ａの先端には、紐状部材２の方向転換を可能とするための半円状の曲面から成る、プーリ代わりの紐状部材受け１８が設けられている。
【００４３】
以上のように構成された物干し装置によれば、テラス屋根あるいは軒天井に物干し竿１が上下昇降自在に設けられているため、物干し竿１を使わないときには物干し竿１を上昇させて安全に邪魔にならないように納めることができ。また、物干し竿１を任意の高さまで下降させて洗濯物を干すことができて、使い勝手の良いものである。
【００４４】
しかも、洗濯物を干しているときあるいは物干し竿を収納している時には、風が吹いてもガイド部材４で少なくとも前後方向に拘束されているので、揺れることがない。特に、制動駒５を備えている場合には、制動駒５との接触並びに制動駒５の中心の紐通し孔２２を経由して紐状部材２ａ，２ｂが垂下されることから、紐状部材２ａ，２ｂの位置が拘束されるので、物干し竿１の前後左右への揺れを抑えることができる。さらに、制動駒５が上下方向に移動可能にガイド部材４に保持されている場合には、物干し竿１と共に制動駒５がガイド部材４の内部空間４ａの中を昇降するので、ガイド部材４で規定される物干し竿セット位置の範囲内の任意の位置で停止させたときに、その位置で物干し竿１の前後左右への揺れを抑えることができる。つまり、制動駒５は物干し竿１の動きに追従して昇降するので、物干し竿１の巻き上げを止めた位置即ち任意の高さ位置で物干し竿１の前後左右方向の揺れを止めることが可能となる。したがって、ガイド部材４の上ストロークエンドまで巻き上げて物干し竿１を止めなくとも、ガイド部材４の任意の位置で停止させてその位置に止めることができるので、紐状部材２に過張力がかかることが少なく、紐状部材２の切断の恐れが少ない。
【００４５】
なお、上述の形態は本発明の好適な形態の一例ではあるがこれに限定されるものではなく本発明の要旨を逸脱しない範囲において種々変形実施可能である。例えば、本発明にかかる物干し装置は、上述の実施形態では主に屋外で使用するものとして説明したが、これに特にかぎられるものではなく、屋内での洗濯物等の衣類を乾燥させるものとして使用することも可能であることは言うまでもない。
【符号の説明】
【００４６】
１  物干し竿
２  紐状部材
２ａ  第１の紐状部材
２ｂ  第２の紐状部材
２ｃ  第３の紐状部材
３  昇降装置
４  ガイド部材
５  制動駒
１６  セーフティ連結具（物干し竿に安全荷重を超える過度な荷重がかかった場合に
紐状部材が意図的に切断される箇所）
【図１】
0006467210.tif 000002
【図２】
0006467210.tif 000003
【図３】
0006467210.tif 000004
【図４】
0006467210.tif 000005
【図５】
0006467210.tif 000006
【図６】
0006467210.tif 000007
【図７】
0006467210.tif 000008
【図８】
0006467210.tif 000009
【図９】
0006467210.tif 000010
【図１０】
0006467210.tif 000011
【図１１】
0006467210.tif 000012
【図１２】
0006467210.tif 000013